(57)【要約】【課題】  基台に没入状態で係止保持した飛出体を、所定位置の差し込み口に対する差し込み体の差し込みで係止を解除し、飛出体を基台上方に飛び出させる。【解決手段】  周側壁４に差し込み口５を開穿配列して成る基台１と、差し込み口５から基台１内に差し込む差し込み体１０と、差し込み体１０による押圧でスライドする解除バー３８によって解除する係止手段３１を備え、この係止手段３１で基台１の上方への飛出傾向に弾発付勢させてある飛出ロッド２５を有すると共に、基台１内で回転自在に立脚状に支承してある飛出機構２０と、飛出ロッド２５の回転方向では一体的に回転して飛出ロッド２５に着脱自在に連繋結合する飛出体４０とから成る。基台１は上部から下部に至るまで同径形状にすることも、径が異なる複数段の段部状に形成することもでき、これに対応して解除作用突部を解除バー３８に形成する。【選択図】      図１
2006034880.tif 000002
【特許請求の範囲】
【請求項１】
周側壁に多数の差し込み口が開穿配列されて成る中空の基台と、差し込み口から基台内に差し込まれ、差し込み口に係止保持される差し込み体と、差し込み体による押圧で基台の径方向でスライドする解除バーによって解除される係止手段を備え、この係止手段に係止されることで基台の上方への飛出傾向に弾発付勢されて基台上で没入自在な飛出ロッドを有していると共に、基台内における中央位置で回転自在にして立脚状に支承されている飛出機構と、この飛出機構における飛出ロッドの上部に、飛出ロッドの回転方向では一体的に回転して着脱自在に連繋結合される飛出体とから成ることを特徴とするゲーム装置。
【請求項２】
基台は、外径が異なる部位を複数にすることで複数段の段差がある階段形状を呈する一方、飛出機構における解除バーは、基台における外径が異なる部位夫々に開穿配列の差し込み口との間隔が夫々の部位で一定となるように解除作用突部を膨出状に形成してある請求項１に記載のゲーム装置。
【請求項３】
飛出機構は、基台における底壁の支持突部、上壁の収納筒部との間で回転自在に支持される中空筒状の機構筒と、この機構筒内に配装した飛出バネによって機構筒上方に飛び出し傾向に弾発付勢されている飛出ロッドと、飛出バネを縮小することで機構筒内に収納した飛出ロッドを係止維持する係止手段と、機構筒の外側で機構筒に対して径方向でスライドすることで係止手段の飛出ロッドとの係止を着脱させるよう機構筒の高さ方向に沿って配されている解除バーと、この解除バーを機構筒に対してその径方向の一定範囲内でスライド案内させるガイド部とを備えている請求項１または２に記載のゲーム装置。
【請求項４】
飛出ロッドの上部は、機構筒の上部に形成した支持筒部に嵌め入れられていると共に、上下方向ではスライド可能にさせ、水平方向では機構筒と共に回転されるよう非円形断面の飛出ロッドに対応する形状としたスライド口を開口してある請求項２または３に記載のゲーム装置。
【請求項５】
係止手段は、機構筒の外側に嵌め合わせられて機構筒の径方向にスライドし、機構筒壁に出没して飛出ロッドの係止フランジに係止する係止爪を備えた係止筒部と、この係止筒部を機構筒の径方向にスライド案内させるよう機構筒の外側に形成したガイド部と、係止筒部の係止爪を機構筒内方にスライド傾向に弾発付勢させる復帰係止弾発部とを備えている請求項１乃至４のいずれかに記載のゲーム装置。
【請求項６】
解除バーは、機構筒の中心に対して係止爪の反対側で機構筒の高さ方向に沿うように配装され、解除バーの内側に突設した連繋突部によって係止筒部と一体化してある請求項１乃至５のいずれかに記載のゲーム装置。
【請求項７】
ガイド部は、機構筒の上下端に機構筒の径方向に沿って外方に延設された溝状にして成る請求項５または６に記載のゲーム装置。
【請求項８】
飛出体は、飛出ロッドの上部に形成した載置盤上に結合手段を介して着脱自在に載置され、この結合手段は飛出ロッドの飛出方向に沿っては着脱が可能でも、飛出ロッドの回転方向では載置盤と一体的に回転することで着脱自在に連繋結合されるものとしてある請求項１乃至７のいずれかに記載のゲーム装置。
【発明の詳細な説明】
【技術分野】
【０００１】
本発明は基台の周囲からの基台内部への差し込み体の特定の差し込み挿入位置によっては、人形の如き玩具である飛出体が基台上方に飛び出されるようにしたもので、基台上下部の外径の大小の相違、基台とこの基台内に装置された飛出機構との相対的な移相の位置調整等によって一層の興趣性あるものとできるゲーム装置に関する。
【背景技術】
【０００２】
従来から、この種の飛び出し式のゲーム装置にあっては図７に示すように、例えば中央部分が大径となるようにやや膨らんだ樽形の基台１０１と、この基台１０１の周側壁１０４に開穿した差し込み口１０５から差し込まれる片状の差し込み体１１０と、差し込み体１１０による押圧で内方側に揺動する解除レバー１３８によって解除されることで急激に伸長するコイル状の飛出バネ１２６を内蔵すると共に、飛出バネ１２６が弾発的な縮小状態にあるときに基台１０１の上面から没入位置にある人形状の飛出体１４０を載置させる載置盤１２９を上部に連結した昇降する飛出ロッド１２５を備えることで、基台１０１内に収納される飛出機構１２０とを有して構成されている。なお、図中１３１は飛出体１４０を押し込んだときの飛出ロッド１２５を係止する係止手段、１３５は解除バー１３８を原位置に復帰させる復帰弾発バネである。
【０００３】
また特許文献１にあるように、基台が多段的構成形状となることで、段部における上面あるいは周側面のいずれかから内方あるいは下方に向けて差し込まれる差し込み体の差し込み方向がいずれであっても、飛び出し機構の飛び出しバネの弾発力を解除させるようにしたゲーム装置が提案されている。
【特許文献１】特許第２５１２９４３号公報
【発明の開示】
【発明が解決しようとする課題】
【０００４】
図７に示す従来のゲーム装置では、飛出機構１２０における解除レバー１３８は、飛出機構１２０の機構筒１２１内の底部に配置した飛出バネ１２６を圧縮、縮小するように下降位置させた飛出ロッド１２５に、機構筒１２１の下部位置で係合するようにすると共に、外方に弾発付勢されている状態で揺動自在になるようにして、側面からみてやや山形に折曲されているようにして設けられている。このため、この解除レバー１３８を揺動させるべく基台１０１の周囲から差し込まれる差し込み体１１０は、解除レバー１３８の傾斜面に対応する方向、すなわち上部位置からはやや下方向きに、下部位置からはやや上方に向けた方向からの差し込みとなるように、基台１０１自体が、中央部が膨らんだように樽形を呈し、中央部の上下周側面に差し込み口１０５を開穿配置している。
【０００５】
したがって、基台１０１自体の外形が樽形に限定されることになり、興趣性に欠けるばかりでなく、飛出機構１２０自体は基台１０１内で固定的に配置されているために、解除レバー１３８位置も一定位置にあることになる。それ故、常に特定の差し込み口１０５から差し込まれる差し込み体１１０によってのみ飛出バネ１２６が解除され、基台１０１に開穿したその特定の差し込み口１０５が何らかの理由で遊戯者に認識されると、面白味に欠けるものともなる。
【０００６】
また特許文献１に示されたゲーム装置では、多段的構成の基台の段部上面に設けられた差し込み口を経た上方からの差し込み体の差し込みで飛出機構を作動させるために、揺動支点を設定した解除部材を段部毎に配置構成する必要があるから、構造的に複雑になる。しかもゲーム性を向上させる等の目的で段部数を多くすると、それは一層複雑になるから、これの組立はますます面倒となるばかりでなく、故障も多くなり、かえってゲーム性を損なうものである。
【０００７】
そこで本発明は叙上のような従来存した諸事情に鑑み創出されたもので、基台自体の外形を上部から下部に至るまで同径の筒状に形成可能とすることで、差し込み口を基台の上下方向で例えば３段以上の複数に配置できてデザインの多様性を図り得るものとし、また例えばデコレーションケーキのような複数段の段部形状に基台を構成しても、飛出機構自体を複雑にすることなく、簡素なもので対応可能にし、また故障することなく確実に作動し、ゲーム性を一層向上できるようにしたゲーム装置を提供することを目的とする。
【課題を解決するための手段】
【０００８】
上述した課題を解決するため、本発明にあっては、周側壁４に多数の差し込み口５が開穿配列されて成る中空の基台１と、差し込み口５から基台１内に差し込まれ、差し込み口５に係止保持される差し込み体１０と、差し込み体１０による押圧で基台１の径方向でスライドする解除バー３８によって解除される係止手段３１を備え、この係止手段３１に係止されることで基台１の上方への飛出傾向に弾発付勢されて基台１上で没入自在な飛出ロッド２５を有していると共に、基台１内における中央位置で回転自在にして立脚状に支承されている飛出機構２０と、この飛出機構２０における飛出ロッド２５の上部に、飛出ロッド２５の回転方向では一体的に回転して着脱自在に連繋結合される飛出体４０とから成るものである。
基台１は、外径が異なる部位を複数にすることで複数段の段差がある階段形状を呈する一方、飛出機構２０における解除バー３８は、基台１における外径が異なる部位夫々に開穿配列の差し込み口５との間隔が夫々の部位で一定となるように解除作用突部３８Ａを膨出状に形成してあるものとして構成することができる。
飛出機構２０は、基台１における底壁２の支持突部３、上壁６の収納筒部７との間で回転自在に支持される中空筒状の機構筒２１と、この機構筒２１内に配装した飛出バネ２６によって機構筒２１上方に飛び出し傾向に弾発付勢されている飛出ロッド２５と、飛出バネ２６を縮小することで機構筒２１内に収納した飛出ロッド２５を係止維持する係止手段３１と、機構筒２１の外側で機構筒２１に対して径方向でスライドすることで係止手段３１の飛出ロッド２５との係止を着脱させるよう機構筒２１の高さ方向に沿って配されている解除バー３８と、この解除バー３８を機構筒２１に対してその径方向の一定範囲内でスライド案内させるガイド部４５とを備えることで構成することができる。
飛出ロッド２５の上部は、機構筒２１の上部に形成した支持筒部２３に嵌め入れられていると共に、上下方向ではスライド可能にさせ水平方向では機構筒２１と共に回転されるよう非円形断面の飛出ロッド２５に対応する形状としたスライド口２４を開口して構成することができる。
係止手段３１は、機構筒２１の外側に嵌め合わせられて機構筒２１の径方向にスライドし、機構筒２１壁に出没して飛出ロッド２５の係止フランジ２７に係止する係止爪３３を備えた係止筒部３２と、この係止筒部３２を機構筒２１の径方向にスライド案内させるよう機構筒２１の外側に形成したガイド部３４と、係止筒部３２の係止爪３３を機構筒２１内方にスライド傾向に弾発付勢させる復帰係止弾発部３５とを備えて構成することができる。
解除バー３８は、機構筒２１の中心に対して係止爪３３の反対側で機構筒２１の高さ方向に沿うように配装され、解除バー３８の内側に突設した連繋突部３９によって係止筒部３２と一体化して構成することができる。
ガイド部４５は、機構筒２１の上下端に機構筒２１の径方向に沿って外方に延設された溝状にして構成することができる。
飛出体４０は、飛出ロッド２５の上部に形成した載置盤２９上に結合手段４１を介して着脱自在に載置され、この結合手段４１は飛出ロッド２５の飛出方向に沿っては着脱が可能でも、飛出ロッド２５の回転方向では載置盤２９と一体的に回転することで着脱自在に連繋結合されることで構成することができる。
【０００９】
以上のように構成された本発明に係るゲーム装置にあって、飛出体４０を飛出ロッド２５の載置盤２９に結合手段４１を介して連繋セットし、飛出ロッド２５を飛出バネ２６の弾発力に抗して基台１内に押し込むことで飛出機構２０の係止手段３１で飛出体４０を没入状態で係止保持し、解除バー３８位置に対応した所定位置の差し込み口５内に差し込み体１０が差し込まれ、差し込み体１０が解除バー３８を押圧することで係止を解除すると、飛出ロッド２５の飛び出し上昇によって飛出体４０を基台１上方に飛び出させる。
飛出機構２０の解除バー３８は、機構筒２１の高さ方向に沿うように配装されていることで、基台１の高さ方向に開穿配列の所定の差し込み口５への差し込み体１０の差し込みで、その先端が解除バー３８に当接すれば、その押圧部位が解除バー３８のいずれの位置であっても連繋突部３９によって係止手段３１の係止筒部３２をガイド部４５の案内でスライドさせる。その結果、飛出ロッド２５を係止している係止爪３３の係止を解除させて飛出ロッド２５を飛び出させる。その結果、差し込み口５の高さ位置は基台１の上下部のいずれでもよいことで差し込み口５の多様な配列形態等を可能にさせる。
飛出機構２０における飛出ロッド２５の載置盤２９への飛出体４０の結合手段４１による連繋セットは、飛出体４０の回転操作がそのまま飛出ロッド２５の、更には飛出機構２０自体の回転移相となり、このような基台１内での飛出機構２０の回転移相は、解除バー３８位置、すなわち解除バー３８に対する解除位置を変更させ、差し込み口５を経ての差し込み体１０の差し込み解除位置を種々に変動させる。
飛出機構２０において、機構筒２１の高さ方向に沿って配装されている解除バー３８に形成される解除作用突部３８Ａは、外径が異なる段差部分が設けられることで階段構成となる基台１における各部位に開穿配列される差し込み口５との距離間隔を一定にさせる。そのため、差し込み解除位置となる所定の差し込み口５と解除バー３８との間隔を全体が一定長さである差し込み体１０長さに対応させ、基台１の外形デザイン等を自在に設定選択可能にし、その自由度を増大させる。
【発明の効果】
【００１０】
本発明は以上のように構成されているために、基台１自体の外形を上部から下部に至るまで同径の筒状に形成することも、例えばデコレーションケーキのような複数段の段部形状に形成することも可能となり、しかも差し込み口５を基台１の上下方向で例えば３段以上の複数に配置できることとも相俟ち、基台１自体のデザインの多様性を図り得るものとし、また飛出機構２０自体を複雑にすることなく簡素なものとして構成対応可能にしたことで故障することなく確実に作動し、ゲーム性を一層向上できるものである。
【００１１】
すなわちこれは本発明において、周側壁４に差し込み口５が開穿配列されて成る基台１と、差し込み口５から基台１内に差し込まれて係止保持される差し込み体１０と、差し込み体１０による押圧でスライドする解除バー３８によって解除される係止手段３１を備え、この係止手段３１で基台１の上方への飛出傾向に弾発付勢されて係止される飛出ロッド２５を有すると共に、基台１内で回転自在に立脚状に支承されている飛出機構２０と、飛出ロッド２５に、飛出ロッド２５の回転方向では一体的に回転して着脱自在に連繋結合される飛出体４０とから成るものとしたからであり、これによって、基台１の段部の有無を含めたデザインの多様性、興趣性に富むゲーム性の一層の増大、故障がない確実な作動等を図ることができる。
【００１２】
また基台１は、外径が異なる部位を複数にした複数段の段差がある階段形状を呈するものとし、飛出機構２０における解除バー３８には、基台１における外径が異なる部位夫々に開穿配列の差し込み口５との間隔が夫々の部位で一定となるように解除作用突部３８Ａを膨出状に形成することで、基台１の外形を例えば階段状のデコレーションケーキを模したものともでき、童幼児にとっては興趣性ある形状となると共に、差し込み体１０自体のキャラクターを模した形状の採用と共に全体としての物語性を醸し出す形状とすることができる。
【００１３】
飛出機構２０は、基台１内で回転自在に支持される中空筒状の機構筒２１と、飛出バネ２６によって機構筒２１上方に飛び出し傾向に弾発付勢されている飛出ロッド２５と、飛び出し傾向にある飛出ロッド２５を係止維持する係止手段３１と、スライドすることで飛出ロッド２５の係止を着脱させる解除バー３８と、この解除バー３８を平行移動的に一定範囲内でスライド案内させるガイド部４５とを備えているから、飛出体４０を飛出ロッド２５上部に載置した状態での押し込みで、飛出バネ２６に弾発力を付与した状態で係止手段３１によって飛出ロッド２５を係止でき、解除バー３８のいずれの位置に対する差し込み体１０による押圧力でも飛出バネ２６の弾発力を解除できる。そのため、基台１に開穿配列する差し込み口５位置は、基台１のいずれの部位であってもよく、また差し込み体１０による差し込み方向も基台１内方へのほぼ水平方向に沿うものでよく、構成の簡素化をも図り得る。
【００１４】
飛出ロッド２５上部の載置盤２９には、結合手段４１を介して飛出体４０が飛出ロッド２５自体を回転可能にして載置セットされ、また飛出ロッド２５自体は機構筒２１と共に回転するようにしてあるから、飛出ロッド２５に対する載置セット後の飛出体４０の回転は機構筒２１、ひいては飛出機構２０全体を基台１内で回転させることとなる。そのため、飛出機構２０における解除バー３８位置は基台１に対して相対的に変動し、飛出ロッド２５の係止を解除させる解除バー３８に対応する差し込み口５位置を調整変更できるから、差し込み体１０を差し込むときの差し込み口５の選択を一層困難にし、興趣性を増大させるのである。
【００１５】
係止手段３１は、飛出ロッド２５を係止する係止爪３３を備えた係止筒部３２、この係止筒部３２をスライド案内させるガイド部３４、係止爪３３を機構筒２１内の飛出ロッド２５に係止させるよう弾発付勢させる復帰係止弾発部３５を備えていることで、押圧される解除バー３８のスライド、その弾発復帰によって飛出ロッド２５を飛び出させ、また飛出体４０を介して押し込まれる飛出ロッド２５を確実に係止することができる。
【００１６】
また機構筒２１の上下端に機構筒２１の径方向に沿って外方に延設された溝状のガイド部４５は、これに解除バー３８の上下端が係合していることで、係止手段３１の復帰係止弾発部３５によって機構筒２１の径方向に沿って機構筒２１の外方に弾発付勢されているとき、差し込み体１０による押圧によって機構筒２１の径方向への解除バー３８のスライドを円滑に案内し、解除、係止の作動を安定化させる。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下図面を参照して本発明を実施するための最良の一形態を説明すると、図において示される符号１は所定の容積を有して中空状に形成された基台であり、この基台１には、その周側壁４に多数の差し込み口５が複数段・列で開穿配列されており、また、差し込み口５のいずれから差し込まれた差し込み体１０によって作動されることで、基台１上で没入配置されていた人形体の如き飛出体４０を上方に飛び出させる飛出機構２０を内蔵させてある。
【００１９】
基台１自体は、図１乃至図５にあっては上部、中央部、下部夫々が同径である所定径の円筒状に形成されており、底壁２、周側壁４、上壁６を備え、底壁２の内底面の中央部には円環状に突設した支持突部３を有し、上壁には飛出体４０を収納すべく筒状に窪ませるように内方に突設した収納筒部７を有し、これらの支持突部３、収納筒部７夫々によって飛出機構２０が支持されることで基台１内に配置されるようにしてある。また、周側壁４には複数の差し込み口５が開穿配列されており、この差し込み口５は例えば基台１の上部、中央部、下部夫々においての上中下の３段で、周方向で適宜間隔毎に配列されている。もとより、この差し込み口５は上下方向で１段あるいは２段更には４段以上であってもよく、また上下方向で同一列状に並んでいる必要もないのである。
【００２０】
差し込み体１０は、ゲーム者が手指等にて摘む摘み部１１と、基台１の差し込み口５内に差し込まれ、飛出機構２０における解除バー３８に先端が当接する解除端部１２と、差し込み口５縁に着脱自在に係合し、差し込み状態を維持させる係合部１３とを備えて成る。摘み部１１は矩形平板状に形成される場合に限らず、飛出体４０の形状等に対応させるように、例えば飛出体４０が所要のキャラクターを模した立体的形状であるとき、これに対応するようにそのキャラクターに関連する小物を模した立体的形状に形成することもできる。また、解除端部１２及び係合部１３が差し込み口５内に差し込まれたとき、その差し込み長さを一定に保持するように差し込み口５の幅員に比し大きくはない係合部１３の幅員に比しては大きく、すなわち差し込み口５の幅員に比し摘み部１１の幅員を大きくしてある（図１参照）。なお、差し込み方向に沿う解除端部１２及び係合部１３夫々の長さの合計は、周側壁４位置から飛出機構２０における機構筒２１本体位置に至る長さに比し小さく、機構筒２１本体から突出配置されている解除バー３８位置に至る長さに比し大きくはしてある。
【００２１】
また、係合部１３は、摘み部１１側から解除端部１２側に至るに伴い少なくとも左右方向のいずれかに次第に膨出ないし屈曲していることで、差し込み口５内への差し込み時には一時的に退避するも差し込み口５内縁で係合する揺動係止片１４を備えている（図４参照）。
【００２２】
一方、飛出機構２０は、基台１における底壁２の支持突部３、上壁６の収納筒部７との間で支持される中空筒状の機構筒２１と、この機構筒２１内に配装した飛出バネ２６によって機構筒２１上方に飛び出し傾向に弾発付勢されている飛出ロッド２５と、飛出バネ２６を縮小することで機構筒２１内に収納した飛出ロッド２５を係止維持するよう機構筒２１壁に出没する係止手段３１と、機構筒２１の外側で機構筒２１に対して径方向でスライドすることで係止手段３１の飛出ロッド２５との係止を着脱させるよう機構筒２１の高さ方向に沿って配された解除バー３８と、この解除バー３８を機構筒２１に対してその径方向の一定範囲内でスライド案内させるガイド部４５とを備えて成る。
【００２３】
機構筒２１は、支持突部３、収納筒部７との間で支持されることで基台１のほぼ中央位置で基台１と二重筒状になり、また基台１に対してこれの内部で回転移相できるように支持突部３、収納筒部７に対しては単に嵌め合い状に支承されている。そのため、例えば支持突部３に対してはこれの内部に嵌め入れられるよう支持突部３内径に対応する外径を備えた支持底部２２となっており、収納筒部７に対してはこれの外側に嵌るよう収納筒部７の外径に対応する内径を備えた支持筒部２３となっている。そして支持筒部２３には、飛出ロッド２５の上部を嵌め入れ、上下方向でスライド可能にさせると共に水平方向では機構筒２１と共に回転されるよう非円形、例えば断面で十文字形状を呈する飛出ロッド２５に対応する開口形状としたスライド口２４を開口してある（図４参照）。
【００２４】
飛出ロッド２５は、機構筒２１内における底部に縮装配置したコイル状に巻回された飛出バネ２６の弾発的な拡開・縮小作用によって機構筒２１の上部で出没自在にして、機構筒２１の上方に飛び出すようにしてある。なお、飛出バネ２６は、その底部が機構筒２１における底部に形成してある筒状に突出した連結部に固着されていて、その上端面は飛出ロッド２５の下端面に当接しており、飛出ロッド２５を機構筒２１内に上方から押し込むことで縮小させた飛出バネ２６に対する縮小状態の解除によって急激に原形に復するように拡開することの弾発作用で、飛出ロッド２５を機構筒２１上方に飛び出させるようにしてある。
【００２５】
飛出ロッド２５には、この飛出ロッド２５自体を機構筒２１内に押し込んだときに、係止手段３１に係止する係止フランジ２７を備え、弾発拡開する飛出バネ２６による弾発作用で機構筒２１上方に飛び出すときに、飛出ロッド２５の上部に載置されている飛出体４０に対して慣性作用で更に基台１の上方に飛び出させるようにするために、スライド口２４下縁に係合する規制フランジ２８を備えている。また、この飛出ロッド２５の上部には、スライド口２４の上方に位置して前記収納筒部７内外で出没・昇降する載置盤２９を設けてあり、この載置盤２９は後述のように飛出体４０が載置セットされるときに、この載置盤２９に飛出体４０を着脱自在にしてほぼ一体化させる結合手段４１を形成してある。  
【００２６】
係止手段３１は、機構筒２１の外側に嵌め合わせられて機構筒２１の径方向にスライドすることで、機構筒２１に開穿してある係止スライド孔２４Ａに出没して係止フランジ２７に係止する係止爪３３を備えた係止筒部３２と、この係止筒部３２を機構筒２１の径方向にスライド案内させるよう機構筒２１の外側に形成したガイド部３４と、係止筒部３２の係止爪３３を機構筒２１内方にスライド傾向に弾発付勢させる復帰係止弾発部３５とを備えて成る。
【００２７】
係止筒部３２は機構筒２１の外径に比しやや大きい内径を備えるも、係止爪３３が係止フランジ２７と係脱自在となるように機構筒２１の径方向にのみスライドされるように好ましくは断面でやや長円形状とされ、また図示のように係止爪３３が係止スライド孔２４Ａに常時係合状態にあるように配慮されるものとする。この係止筒部３２自体は、機構筒２１の中心位置に対して係止爪３３位置とは反対側からの解除バー３８に対する差し込み体１０の差し込み操作で機構筒２１外方にスライドするようになっている。
【００２８】
ガイド部３４は、係止筒部３２を機構筒２１の径方向で安定してスライドさせるように、係止筒部３２を上下から挟むようにして係止筒部３２の上下位置で突状、フランジ状等にして形成してある。また復帰係止弾発部３５は係止筒部３２における係止爪３３側で係止筒部３２に一体状に設けた複数の鰭状のスライド端部３６と、機構筒２１外側とに巻回される輪ゴムの如きものとされる。もとより、この復帰係止弾発部３５はコイルスプリング、板バネその他の弾性材にて代用することが可能であるのは勿論である。
【００２９】
また解除バー３８は、前記差し込み体１０による基台１内への差し込みで強制的に機構筒２１内方側に押圧されるとき、係止手段３１の係止筒部３２を機構筒２１の径方向にスライドさせて係止爪３３を係止フランジ２７から解除させるもので、機構筒２１の中心に対して係止爪３３の反対側に配置されていて、断面でほぼ溝形を呈している。この解除バー３８自体は機構筒２１の高さ方向に沿うように配装され、解除バー３８の内側に突設した連繋突部３９によって係止筒部３２と一体化してあり、こうすることで解除バー３８のいずれの位置が、すなわち上部あるいは下部が押圧されても連繋突部３９を介して係止筒部３２が確実に移動するように、解除バー３８を平行移動的にスライドするように配慮してある。
【００３０】
なお、場合によっては連繋突部３９部位で、係止筒部３２、解除バー３８夫々が分離されていることもあり、いずれにしても解除バー３８に対する外方からの押圧、しかもこの押圧作用が解除バー３８のいずれの部位に対するものであっても連繋突部３９を介して係止筒部３２を作動させ、これによって係止筒部３２がスライドして飛出ロッド２５の係止フランジ２７に対する係止を解除させ、飛出ロッド２５の急激な上昇が得られるようにしてあれば足りる。
【００３１】
また、この解除バー３８を機構筒２１の外側で機構筒２１の径方向に沿ってスライド案内するガイド部４５は、機構筒２１の上下端に機構筒２１の径方向に沿って外方に延設された溝状に形成されている。そして、下部にあっては機構筒２１の底部近傍位置で外方に突設した突部上面に溝部を形成することで、上部にあっては前記支持筒部２３底面に溝部を形成することで設けてあり、上下の夫々の溝部内に解除バー３８の上下端が係合状態でスライドすることで、解除バー３８が機構筒２１の径方向に沿って傾くことなく円滑にスライドされるようにしてある。
【００３２】
飛出ロッド２５上部の載置盤２９上に載置される飛出体４０は、結合手段４１を介して載置盤２９に、飛出ロッド２５の長さ方向すなわち飛出方向に沿っては着脱が可能でも、飛出ロッド２５の回転方向すなわち基台１の上方からみての時計・反時計方向では載置盤２９と一体的に回転するものとして、着脱自在に連繋結合されるようになっている。そのための結合手段４１は、飛出体４０の底部に平面でほぼ正方形状を呈し、底面に至るに伴い次第に僅かに大形となる嵌め入れ突部４２を有し、載置盤２９の上面に嵌め入れ突部４２が嵌め入れられる平面でほぼ八角星形状を呈し、底部に至るに伴い次第に僅かに大形となる嵌め入れ凹部４３を有して成るのである。こうすることで、結合手段４１における嵌め入れ突部４２を嵌め入れ凹部４３内に強制的にでも嵌め入れることで、飛出体４０を載置盤２９に嵌め入れ状態で連繋セットでき、飛出ロッド２５の上方への飛び出し時に規制フランジ２８がスライド口２４に係止したとき、その飛び出し力の慣性作用で飛出体４０が載置盤２９から外れ、上方に飛び出すのである。また、飛出体４０が載置盤２９に不回転な状態で嵌め入れられていることで飛出体４０を水平方向で回転させると、飛出機構２０自体も基台１内で回転移相し、飛出体４０の向き例えばその正面を基台１の任意な方向に設定でき、その結果、基台１の差し込み口５と飛出機構２０における解除バー３８位置とを自在に変更し、解除バー３８に関連する差し込み口５位置をゲーム者にとって不明なものとさせ、差し込み体１０の差し込み位置の選択につき興趣性を一層増大できるのである。
【００３３】
なお、嵌め入れ凹部４３の八角星形状は嵌め入れ突部４２が嵌め入れられるときの飛出体４０の向きの方向性を任意に設定可能にするためであり、上記のように正方形−八角星形状の組み合わせに限らず、正三角形−六角星形状、正五角形状−十角星形状その他の組み合わせとすることも可能である。また図中符号４６は載置盤２９上面と飛出体４０下面とを位置合わせさせる凹凸部である。
【００３４】
また図６においては他の実施の形態が示されており、図示のように基台１を外径が異なる部位を複数にすることで複数段の段差がある階段形状、例えば段差があるデコレーションケーキ状の構成とし、飛出機構２０における解除バー３８に、基台１における外径が異なる部位夫々に開穿配列の差し込み口５との間隔が夫々の部位で一定となるように解除作用突部３８Ａを膨出状に形成したものである。すなわち図示例のように、基台１においては、その外形が、最底部に最大径となる第１段部５１、この第１段部５１に比しやや小径な第２段部５２、更にこの第２段部よりも小径な第３段部５３の３段構成にすると共に、第１段部５１、第２段部５２夫々に差し込み口５を開穿配列して成る。
【００３５】
一方、飛出機構２０においては、その解除バー３８が、第１段部５１位置に対応する最下部において、差し込み口５から差し込まれる差し込み体１０の解除端部１２が到達する位置となるように側面からみてほぼコ字形に膨出させた解除作用突部３８Ａを設けてある。なお、この図例にあっては第２段部５２の外径は上記の実施の形態における基台１の外径とほぼ同径にしてあることで、この第２段部５２位置に対応する解除バー３８位置には解除作用突部３８Ａは設けられていない。もとより、差し込み口５から解除バー３８に至る間隔が差し込み体１０における解除端部１２、係合部１３の合計長さに比し大きい場合には、それに対応する差の間隔で解除作用突部３８Ａが設けられ、また必要があれば、基台１の段部形状に対応させて解除バー３８における解除作用突部３８Ａが突部状、段差状等で複数にして形成されるものである。
【００３６】
なお、飛出機構２０の基本的構成は上記の実施の形態におけるものと同様であり、解除バー３８のスライド構成を案内規制する溝部による案内構成も同様なものである。
【００３７】
更には図示を省略したが、この解除作用突部３８Ａ自体は、解除バー３８のスライド方向に沿うように機構筒２１の径方向に対応して膨出形成される場合に限らず、スライド方向とは異なる方向で膨出形成されることもあり、こうすることで、解除バー３８に対する差し込み体１０の差し込み方向が異なる方向からのものとさせることも可能となり、一層の興趣性を増大させることができる。
【００３８】
次にこれの使用の一例を説明するに、飛出機構２０を内装させてある基台１を所定のゲーム遊戯面例えば机上に置き、飛出体４０を飛出ロッド２５の載置盤２９に結合手段４１を介して載置セットして飛出ロッド２５を飛出機構２０内に押し込み、必要があれば飛出体４０によって飛出ロッド２５を回転させることで飛出機構２０全体の向きを基台１内で変更する。このときの向き変更は不透明な基台１内で飛出機構２０が回転移相されているから、ゲーム者にとっては全く不明であり、興味を殺ぐことはない。この状態で、ゲーム者は順番にでも夫々の差し込み体１０を任位置の差し込み口５に差し入れるのであり、所定の差し込み口５から差し込まれた差し込み体１０先端の解除端部１２が飛出機構２０の解除バー３８に接触到達すると解除バー３８が押圧される。すると係止手段３１が解除されることで、飛出ロッド２５が飛出バネ２６の弾発力で瞬時に基台１の上方に飛び出し、飛出体４０を基台１上方に飛び出させるのである。
【００３９】
そして、基台１の差し込み口５に差し込まれた差し込み体１０を基台１から抜き出し、取り外す一方、基台１から飛び出した飛出体４０は、これを再度、載置盤２９上に載せ、必要があれば基台１内で飛出機構２０を回転移相させて次回のゲームに備えるのである。なお、ゲーム勝者の判定は、最後に至るまで解除バー３８を作動させることがなかった者、または先に飛出体４０を飛び出させた者を勝者とするのであり、任意に取り決める。
【図面の簡単な説明】
【００４０】
【図１】本発明を実施するための最良の形態を示す断面図である。
【図２】同じく飛出機構が縮小待機状態にあるときの断面図である。
【図３】同じく飛出機構の外観斜視図である。
【図４】同じく図１における要部横断面図である。
【図５】同じく飛出ロッドと飛出体との結合手段における分解縦断図である。
【図６】同じく他の実施の形態における断面図である。
【図７】従来例における断面図である。
【符号の説明】
【００４１】
１…基台                                ２…底壁
３…支持突部                            ４…周側壁
５…差し込み口                          ６…上壁
７…収納筒部
１０…差し込み体                        １１…摘み部
１２…解除端部                          １３…係合部
１４…揺動係止片
２０…飛出機構                          ２１…機構筒
２２…支持底部                          ２３…支持筒部
２４…スライド口                        ２４Ａ…係止スライド孔
２５…飛出ロッド                        ２６…飛出バネ
２７…係止フランジ                      ２８…規制フランジ
２９…載置盤
３１…係止手段                          ３２…係止筒部
３３…係止爪                            ３４…ガイド部
３５…復帰係止弾発部                    ３６…スライド端部
３８…解除バー                          ３８Ａ…解除作用突部
３９…連繋突部
４０…飛出体                            ４１…結合手段
４２…嵌め入れ突部                      ４３…嵌め入れ凹部
４５…ガイド部                          ４６…凹凸部
１０１…基台                            １０４…周側壁
１０５…差し込み口                      １１０…差し込み体
１２０…飛出機構                        １２１…機構筒
１２５…飛出ロッド                      １２６…飛出バネ
１３１…係止手段                        １３５…復帰弾発バネ
１３８…解除レバー
【図１】
2006034880.tif 000003
【図２】
2006034880.tif 000004
【図３】
2006034880.tif 000005
【図４】
2006034880.tif 000006
【図５】
2006034880.tif 000007
【図６】
2006034880.tif 000008
【図７】
2006034880.tif 000009